(57)【要約】【課題】受口へのロックリングの装着時に際し、受口内面の塗膜の損傷を防止する。【解決手段】管継手の抜止用ロックリング５１を、受口１１の内周に形成されたロックリング溝１２に嵌め入れる際、受口１１の内面塗膜の損傷を防止する治具１であって、受口１１の開口側端面から、ロックリング溝１２に対し受口１１の開口側に位置する抜止壁１３の切欠部１３ａを介して、ロックリング溝１２へ至るまで受口１１の内面を覆うことを可能とするものを提供する。また、この治具１を、受口１１の開口側端面に沿う端面当接部２と、受口１１の内面に沿う内面当接部３とを連設し、端面当接部２又は内面当接部３に、受口１１に吸着する磁石４を設けたものとする。そして、このような治具１により受口１１の内面を覆った状態で、ロックリング５１をロックリング溝１２に嵌め入れる。【選択図】図１
2014206216.tif 000002
【特許請求の範囲】
【請求項１】
管継手の抜止用ロックリング(51)を、受口(11)の内周に形成されたロックリング溝(12)に嵌め入れる際、受口(11)の内面塗膜の損傷を防止する治具であって、受口(11)の開口側端面から、ロックリング溝(12)に対し受口(11)の開口側に位置する抜止壁(13)の切欠部(13a)を介して、ロックリング溝(12)へ至るまで受口(11)の内面を覆うことを可能とする管継手におけるロックリング装着時の受口塗膜保護治具(1)。
【請求項２】
請求項１に記載の治具(1)において、受口(11)の開口側端面に沿う端面当接部(2)と、受口(11)の内面に沿う内面当接部(3)とを連設し、端面当接部(2)又は内面当接部(3)に、受口(11)に吸着する磁石(4)を設けたことを特徴とする受口塗膜保護治具(1)。
【請求項３】
請求項１又は２に記載の治具(1)を使用して、管継手の抜止用ロックリング(51)を、受口(11)の内周に形成されたロックリング溝(12)に嵌め入れる方法であって、治具(1)により、受口(11)の開口側端面から抜止壁(13)の切欠部(13a)を介してロックリング溝(12)へ至るまで、受口(11)の内面を覆った状態で、ロックリング(51)をロックリング溝(12)に嵌め入れることを特徴とする管継手におけるロックリング装着時の受口塗膜保護方法。
【発明の詳細な説明】
【技術分野】
【０００１】
この発明は、管継手の抜止用ロックリングを受口に嵌め入れる際、ロックリングの接触による受口の内面塗膜の損傷を防止する治具及び保護方法に関するものである。
【背景技術】
【０００２】
水道管等の管継手において、接合された管の地震等に伴う離脱を防止するため、下記特許文献１に記載されたようなロックリングを使用するものが知られている。
【０００３】
図９に示すように、このロックリング５１は、テーパー状としたリング部５２を、一箇所で分割して弾力的に拡縮径可能とし、リング部５２の小径端側に外径方向に立ち上がる脚突起５３を３個設けたものとされ、図１０及び図１１に示すように、受口１１に挿し口２１を挿入する際、受口１１の内周に形成されたロックリング溝１２に収容される。
【０００４】
ロックリング溝１２は、受口１１の内周に迫り出す抜止壁１３とその奥側の入止壁１４の間に形成され、抜止壁１３には、上下二箇所に切欠部１３ａが設けられている。
【０００５】
ロックリング５１をロックリング溝１２へ嵌め込む際には、図１２に示すように、ロックリング５１を、その軸方向が管軸方向に対して交差する方向である縦向きになるようにして、受口１１に差し入れる。そして、図１３に示すように、脚突起５３がロックリング溝１２の位置に達したとき、ロックリング５１を押し縮めながら回転させ、リング部５２の大径側が受口１１の開口側へ向くようにして、リング部５２の分割部と抜止壁１３の切欠部１３ａとを一致させた状態で、リング部５２の弾性により復元させる。
【０００６】
このようにロックリング５１をロックリング溝１２に収容すると、リング部５２の大径端が抜止壁１３に、脚突起５３が入止壁１４にそれぞれ当接することにより、ロックリング５１の管軸方向の移動が規制される。
【０００７】
また、図１０に示すように、挿し口２１の開口端側の外周には、全周に亘って抜止突起２２が形成され、管継手の施工に際しては、挿し口２１を、抜止突起２２がロックリング５１の弾力的な拡縮に伴いその奥側へ達する深さまで受口１１に挿入し、受口１１の開口端部の内周と挿し口２１の外周との間にゴム輪３１を介在させ、受口１１のフランジに押輪３２を当てがって、これらをボルトとナットとから成る締付部材３３で締め付ける。
【０００８】
これにより、シール性が確保されると共に、地震等により挿し口２１に受口１１からの引抜力が作用したとき、挿し口２１の抜止突起２２がロックリング５１のリング部５２の小径端に当接して抜け止めされ、水道管等の管路寸断による被害発生が防止される。
【０００９】
なお、下記特許文献２においては、ロックリングをロックリング溝に嵌め込む際、プライヤー状の工具を使用し、ロックリングを縮径させて受口に挿入する技術が記載されているが、例えば、呼び径５０ｍｍ程度の小径管の管継手の場合、このような工具を受口に挿入して、ロックリングをロックリング溝に嵌め込むことは困難であるため、人の指先により、上記のような手順でロックリングを装着することが一般的である。
【先行技術文献】
【特許文献】
【００１０】
【特許文献１】意匠登録第１４３９５８１号公報
【特許文献２】特開２００９−１２１４７号公報
【発明の概要】
【発明が解決しようとする課題】
【００１１】
しかしながら、上記ロックリング５１は、脚突起５３を有することもあり、受口１１のロックリング溝１２より開口側の部分の内径よりも外径が大きいことから、ロックリング５１を縦向きにして受口１１に挿入する場合、脚突起５３やリング部５２の端縁が受口１１の内面に接触し、受口１１の内面に防錆用に施された合成樹脂塗装やエポキシ樹脂粉体塗装等の塗膜が損傷することがある。
【００１２】
そこで、この発明は、受口へのロックリングの装着時に際し、受口内面の塗膜の損傷を防止することを課題とする。
【課題を解決するための手段】
【００１３】
上記課題を解決するため、この発明は、管継手の抜止用ロックリングを、受口の内周に形成されたロックリング溝に嵌め入れる際、受口の内面塗膜の損傷を防止する治具であって、受口の開口側端面から、ロックリング溝に対し受口の開口側に位置する抜止壁の切欠部を介して、ロックリング溝へ至るまで受口の内面を覆うことを可能とするものを提供することとし、また、この治具を、受口の開口側端面に沿う端面当接部と、受口の内面に沿う内面当接部とを連設し、端面当接部又は内面当接部に、受口に吸着する磁石を設けたものとし、このような治具により受口の内面を覆った状態で、ロックリングをロックリング溝に嵌め入れることとしたのである。
【発明の効果】
【００１４】
この発明に係る治具を使用して、受口にロックリングを装着すると、受口へのロックリングの挿入に際し、受口の内面のロックリングが接触しやすい部分が治具で覆われていることから、受口の内面の塗膜の損傷を防止することができ、受口の内面からの管の腐蝕を防止することができる。
【図面の簡単な説明】
【００１５】
【図１】この発明の実施形態に係る治具を使用した受口へのロックリング挿入過程を示す斜視図
【図２】同上の治具を示す斜視図
【図３】同上の受口への治具取付状態を示す斜視図
【図４】同上の受口への治具取付状態を示す縦断側面図
【図５】同上の治具取付状態でのロックリング挿入過程を示す受口側端面図
【図６】同上の治具取付状態でのロックリング挿入過程を示す縦断側面図
【図７】同上のロックリング溝に嵌める手順を示す横断平面図
【図８】同上の２個の治具を連結した状態を示す斜視図
【図９】ロックリングの斜視図
【図１０】同上のロックリングを使用した管継手構造の縦断側面図
【図１１】同上の受口側端面図
【図１２】従来のロックリング挿入過程を示す受口側端面図
【図１３】同上のロックリング溝に嵌める手順を示す横断平面図
【発明を実施するための形態】
【００１６】
以下、この発明の実施形態を添付図面に基づいて説明する。
【００１７】
図１に示すように、この発明に係る治具１は、管継手の抜止用ロックリング５１を受口１１に嵌め入れる際に使用するものである。この使用により接合される水道管等の管継手の構造は、図１０及び図１１に示す上述のものと同様である。
【００１８】
すなわち、ロックリング５１が嵌め込まれるロックリング溝１２は、受口１１の内周に迫り出す抜止壁１３とその奥側の入止壁１４の間に形成され、抜止壁１３には、上下二箇所に切欠部１３ａが設けられている。
【００１９】
ロックリング５１もまた、図９に示す上述のものと同様、テーパー状としたリング部５２を、一箇所で分割して弾力的に拡縮径可能とし、リング部５２の小径端側に外径方向に立ち上がる脚突起５３を３個設けたものとされている。
【００２０】
そして、治具１は、図２に示すように、ステンレスの板材をプレスして、受口１１の開口側端面に沿う端面当接部２と、受口１１の内面に沿う内面当接部３とを側面視直角をなすように形成したものとされている。
【００２１】
治具１の端面当接部２には、受口１１の開口側端面へ吸着させるための磁石４がビス止めにより設けられている。内面当接部３は、受口１１の内面形状に対応して、部分円筒状に湾曲している。なお、磁石４は、内面当接部３に設けて、受口１１の内面に吸着させるようにしてもよい。
【００２２】
上記のような治具１を使用して、ロックリング５１を受口１１に装着する際には、図３及び図４に示すように、２個の治具１を用意し、それぞれの治具１の内面当接部３を受口１１に挿入し、これらの内面当接部３により、受口１１の開口側端面から抜止壁１３の切欠部１３ａを介してロックリング溝１２へ至るまで、受口１１の内面を覆い、磁石４を受口１１の開口側端面のフランジに吸着させて、治具１を受口１１に固定する。
【００２３】
このとき、治具１が端面当接部２により受口１１に対して位置決めされるので、受口１１の内面の所定範囲が内面当接部３により確実に覆われる。
【００２４】
このような状態で、図１に示すように、ロックリング５１を、その軸方向が管軸方向に対して交差する方向である縦向きになるようにして、図５及び図６に示すように、脚突起５３が内面当接部３に沿うように受口１１に差し入れる。
【００２５】
そして、図７に示すように、脚突起５３がロックリング溝１２の位置に達したとき、ロックリング５１を押し縮めながら回転させ、リング部５２の大径側が受口１１の開口側へ向くようにして、リング部５２の弾性により復元させ、ロックリング溝１２に嵌め込む。
【００２６】
このようにして、ロックリング５１を受口１１に装着した後、端面当接部２を引っ張って磁石４を受口１１のフランジから離脱させ、内面当接部３を受口１１から引き抜くことにより、治具１を受口１１から取り外す。
【００２７】
その後、従来の場合と同様、図１０に示すように、挿し口２１を、抜止突起２２がロックリング５１の弾力的な拡縮に伴いその奥側へ達する深さまで受口１１に挿入し、受口１１の開口端部の内周と挿し口２１の外周との間にゴム輪３１を介在させ、受口１１のフランジに押輪３２を当てがって、これらをボルトとナットとから成る締付部材３３で締め付けると、シール性が確保され、管の接合が完了する。
【００２８】
上記のような治具１を使用して、受口１１にロックリング５１を装着すると、受口１１へのロックリング５１の挿入に際し、受口１１の内面のロックリング５１が接触しやすい部分が治具１で覆われていることから、受口１１の内面の塗膜の損傷を防止することができ、受口１１の内面からの管の腐蝕に伴う漏水の発生や、水道水への錆の混入を防止することができる。
【００２９】
また、治具１を受口１１に対して磁石４により着脱するので、ロックリング５１の受口１１への装着作業を迅速に行うことができる。そのほか、治具１は、錆びにくいステンレス製としたので、長期にわたり繰り返して使用することができる。
【００３０】
なお、図８に示すように、２個の治具１を紐状部材５で繋いでおくと、ロックリング５１を受口１１に装着した後、治具１を受口１１から取り外す際、紐状部材５を引っ張るだけで、２個の治具１を同時に取り外すことができ、治具１の保管時や持ち運び時における紛失を防止することもできる。紐状部材５としては、チェーンや各種材料の紐、ワイヤ等を使用できる。
【符号の説明】
【００３１】
１  治具
２  端面当接部
３  内面当接部
４  磁石
５  紐状部材
１１  受口
１２  ロックリング溝
１３  抜止壁
１３ａ  切欠部
１４  入止壁
２１  挿し口
２２  抜止突起
３１  ゴム輪
３２  押輪
３３  締付部材
５１  ロックリング
５２  リング部
５３  脚突起
【図１】
2014206216.tif 000003
【図２】
2014206216.tif 000004
【図３】
2014206216.tif 000005
【図４】
2014206216.tif 000006
【図５】
2014206216.tif 000007
【図６】
2014206216.tif 000008
【図７】
2014206216.tif 000009
【図８】
2014206216.tif 000010
【図９】
2014206216.tif 000011
【図１０】
2014206216.tif 000012
【図１１】
2014206216.tif 000013
【図１２】
2014206216.tif 000014
【図１３】
2014206216.tif 000015
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
管継手の抜止用ロックリング(51)を、受口(11)の内周に形成されたロックリング溝(12)に嵌め入れる際、治具(1)を使用して、ロックリング(51)をロックリング溝(12)に嵌め入れる方法であって、治具(1)により、受口(11)の開口側端面から抜止壁(13)の切欠部(13a)を介してロックリング溝(12)へ至るまで、受口(11)の内面を覆った状態で、ロックリング(51)をロックリング溝(12)に嵌め入れることを特徴とする管継手におけるロックリング装着時の受口塗膜保護方法。
【請求項２】
請求項１に記載の管継手におけるロックリング装着時の受口塗膜保護方法において、治具(1)として、受口(11)の開口側端面に沿う端面当接部(2)と、受口(11)の内面に沿う内面当接部(3)とを連設し、端面当接部(2)又は内面当接部(3)に、受口(11)に吸着する磁石(4)を設けたものを使用することを特徴とする受口塗膜保護方法。